(57)【要約】【課題】番組に関連した場所の表示制御を行うに際して、番組の注目度を考慮した表示制御を行う、ナビゲーション装置、ナビゲーション方法、及びナビゲーションプログラムを提供すること。【解決手段】ナビゲーション装置１は、番組情報を取得する番組本体情報取得部７１及び番組付随情報取得部７２と、番組情報に基づいて番組に関連する場所を特定するＰＯＩ特定部７３ａと、番組情報に基づいてＰＯＩ特定部７３ａにて特定された場所の放送時間を特定する放送時間特定部７３ｂと、ＰＯＩ特定部７３ａにて特定された場所に対する注目度を、少なくとも放送時間特定部７３ｂにて特定された放送時間に基づいて決定する注目度決定部７４と、注目度決定部７４にて決定された注目度に基づいて、ＰＯＩ特定部７３ａにて特定された場所の表示制御を行う表示制御部７５とを備える。【選択図】図１
2011038790.tif 000002
【特許請求の範囲】
【請求項１】
番組情報を取得する番組情報取得手段と、
前記番組情報取得手段にて取得した番組情報に基づいて、番組に関連する場所を特定する場所特定手段と、
前記番組情報取得手段にて取得した番組情報に基づいて、前記場所特定手段にて特定された場所の放送時間を特定する放送時間特定手段と、
前記場所特定手段にて特定された場所に対する注目度を、少なくとも前記放送時間特定手段にて特定された放送時間に基づいて決定する注目度決定手段と、
前記注目度決定手段にて決定された注目度に基づいて、前記場所特定手段にて特定された場所の表示制御を行う表示制御手段と、
を備えるナビゲーション装置。
【請求項２】
前記注目度決定手段は、
前記番組情報取得手段にて取得した番組情報に基づいて、当該番組情報に含まれ得る所定の重み付け要素に対して予め設定された重み付け係数を、前記場所特定手段にて特定された場所に関する番組情報に実際に含まれている前記重み付け要素に応じて加算することにより、当該場所特定手段にて特定された場所に対する重み付け係数合計値を算出し、
当該算出した重み付け係数合計値と、前記放送時間特定手段にて特定された放送時間に基づいて、前記注目度を決定する、
請求項１に記載のナビゲーション装置。
【請求項３】
前記重み付け要素は、番組の番組カテゴリ、番組の放送エリア、番組の放送形態、ユーザによる番組の視聴履歴、又は番組の視聴率の少なくとも一つを含む、
請求項２に記載のナビゲーション装置。
【請求項４】
前記番組情報取得手段は、ユーザによる番組の視聴履歴情報を前記番組情報の一部として取得する視聴履歴情報取得手段を備え、
前記表示制御手段は、前記視聴履歴情報取得手段にて取得された視聴履歴情報に基づいて、前記場所特定手段にて特定された場所に関連する番組をユーザが視聴したか否かを判定し、ユーザが視聴した番組に関連する場所が他の場所と区別可能となるように表示制御を行う、
請求項１から３のいずれか一項に記載のナビゲーション装置。
【請求項５】
前記注目度算定手段にて算定された注目度に基づいて、車両の走行経路を探索する経路探索手段を備え、
前記表示制御手段は、前記経路探索手段にて探索された走行経路が表示されるよう表示制御を行う、
請求項１から４のいずれか一項に記載のナビゲーション装置。
【請求項６】
前記経路探索手段は、前記注目度算定手段にて算定された注目度に基づいて、前記場所特定手段にて特定された場所の中で注目度が高い順に所定数の場所を特定し、当該特定した所定数の場所を経由する走行経路の探索を行う、
請求項５に記載のナビゲーション装置。
【請求項７】
前記経路探索手段は、前記注目度算定手段にて算定された注目度に基づいて、前記場所特定手段にて特定された場所を基準として所定方法で特定された注目エリアの中で注目度が高い順に所定数の場所を特定し、当該特定した所定数の場所を周遊する走行経路の探索を行う、
請求項５又は６に記載のナビゲーション装置。
【請求項８】
前記経路探索手段は、前記注目度算定手段にて算定された注目度に基づいて、前記場所特定手段にて特定された場所の中で所定基準以上の注目度の場所を特定し、当該特定した場所を回避地として走行経路の探索を行う、
請求項５から７のいずれか一項に記載のナビゲーション装置。
【請求項９】
番組情報を取得する番組情報取得ステップと、
前記番組情報取得ステップにて取得した番組情報に基づいて、番組に関連する場所を特定する場所特定ステップと、
前記番組情報取得ステップにて取得した番組情報に基づいて、前記場所特定ステップにて特定された場所の放送時間を特定する放送時間特定ステップと、
前記場所特定ステップにて特定された場所に対する注目度を、少なくとも前記放送時間特定ステップにて特定された放送時間に基づいて決定する注目度決定ステップと、
前記注目度決定ステップにて決定された注目度に基づいて、前記場所特定ステップにて特定された場所の表示制御を行う表示制御ステップと、
を含むナビゲーション方法。
【請求項１０】
請求項９に記載の方法をコンピュータに実行させることを特徴とするナビゲーションプログラム。
【発明の詳細な説明】
【技術分野】
【０００１】
本発明は、ナビゲーション装置、ナビゲーション方法、及びナビゲーションプログラムに関する。
【背景技術】
【０００２】
従来、電子番組ガイドに含まれる番組情報の中から、ユーザによって設定された検索キーワードを含む番組情報を検索し、検索された番組情報に含まれる場所を目的地に設定して経路探索を行うナビゲーション装置が提案されている（例えば、特許文献１参照）。また、ナビゲーション装置で利用できるサービスとして、ＴＶ番組で紹介された場所を、当該ＴＶ番組の放送日及びＴＶ番組名と共にナビゲーション装置に表示し、当該表示された場所を目的地として設定することができるサービスも提供されている。
【先行技術文献】
【特許文献】
【０００３】
【特許文献１】特開２００８−１２８９３１号公報（段落００４９〜００５３）
【発明の概要】
【発明が解決しようとする課題】
【０００４】
しかしながら、上記従来の装置では、番組情報に含まれる場所を探索する際、場所に対する注目度は一切考慮されていなかったので、短い時間しか放送されていなかった場所や、視聴率が低い番組でのみ放送された場所のように、注目度が比較的低いと考えられる場所であっても、注目度が比較的高いと考えられる場所と区別されることなく表示等されており、番組情報を用いて目的地を設定等する上での利便性や実用性に欠ける等の問題があった。
【０００５】
本発明は、上記に鑑みてなされたものであって、番組に関連した場所の表示制御を行うに際して、番組の注目度を考慮した表示制御を行う、ナビゲーション装置、ナビゲーション方法、及びナビゲーションプログラムを提供することを目的とする。
【課題を解決するための手段】
【０００６】
上述した課題を解決し、目的を達成するために、請求項１に記載のナビゲーション装置は、番組情報を取得する番組情報取得手段と、前記番組情報取得手段にて取得した番組情報に基づいて、番組に関連する場所を特定する場所特定手段と、前記番組情報取得手段にて取得した番組情報に基づいて、前記場所特定手段にて特定された場所の放送時間を特定する放送時間特定手段と、前記場所特定手段にて特定された場所に対する注目度を、少なくとも前記放送時間特定手段にて特定された放送時間に基づいて決定する注目度決定手段と、前記注目度決定手段にて決定された注目度に基づいて、前記場所特定手段にて特定された場所の表示制御を行う表示制御手段とを備える。
【０００７】
また、請求項２に記載のナビゲーション装置は、請求項１に記載のナビゲーション装置において、前記注目度決定手段は、前記番組情報取得手段にて取得した番組情報に基づいて、当該番組情報に含まれ得る所定の重み付け要素に対して予め設定された重み付け係数を、前記場所特定手段にて特定された場所に関する番組情報に実際に含まれている前記重み付け要素に応じて加算することにより、当該場所特定手段にて特定された場所に対する重み付け係数合計値を算出し、当該算出した重み付け係数合計値と、前記放送時間特定手段にて特定された放送時間に基づいて、前記注目度を決定する。
【０００８】
また、請求項３に記載のナビゲーション装置は、請求項２に記載のナビゲーション装置において、前記重み付け要素は、番組の番組カテゴリ、番組の放送エリア、番組の放送形態、ユーザによる番組の視聴履歴、又は番組の視聴率の少なくとも一つを含む。
【０００９】
また、請求項４に記載のナビゲーション装置は、請求項１から３のいずれか一項に記載のナビゲーション装置において、前記番組情報取得手段は、ユーザによる番組の視聴履歴情報を前記番組情報の一部として取得する視聴履歴情報取得手段を備え、前記表示制御手段は、前記視聴履歴情報取得手段にて取得された視聴履歴情報に基づいて、前記場所特定手段にて特定された場所に関連する番組をユーザが視聴したか否かを判定し、ユーザが視聴した番組に関連する場所が他の場所と区別可能となるように表示制御を行う。
【００１０】
また、請求項５に記載のナビゲーション装置は、請求項１から４のいずれか一項に記載のナビゲーション装置において、前記注目度算定手段にて算定された注目度に基づいて、車両の走行経路を探索する経路探索手段を備え、前記表示制御手段は、前記経路探索手段にて探索された走行経路が表示されるよう表示制御を行う。
【００１１】
また、請求項６に記載のナビゲーション装置は、請求項５に記載のナビゲーション装置において、前記経路探索手段は、前記注目度算定手段にて算定された注目度に基づいて、前記場所特定手段にて特定された場所の中で注目度が高い順に所定数の場所を特定し、当該特定した所定数の場所を経由する走行経路の探索を行う。
【００１２】
また、請求項７に記載のナビゲーション装置は、請求項５又は６に記載のナビゲーション装置において、前記経路探索手段は、前記注目度算定手段にて算定された注目度に基づいて、前記場所特定手段にて特定された場所を基準として所定方法で特定された注目エリアの中で注目度が高い順に所定数の場所を特定し、当該特定した所定数の場所を周遊する走行経路の探索を行う。
【００１３】
また、請求項８に記載のナビゲーション装置は、請求項５から７のいずれか一項に記載のナビゲーション装置において、前記経路探索手段は、前記注目度算定手段にて算定された注目度に基づいて、前記場所特定手段にて特定された場所の中で所定基準以上の注目度の場所を特定し、当該特定した場所を回避地として走行経路の探索を行う。
【００１４】
また、請求項９に記載のナビゲーション方法は、番組情報を取得する番組情報取得ステップと、前記番組情報取得ステップにて取得した番組情報に基づいて、番組に関連する場所を特定する場所特定ステップと、前記番組情報取得ステップにて取得した番組情報に基づいて、前記場所特定ステップにて特定された場所の放送時間を特定する放送時間特定ステップと、前記場所特定ステップにて特定された場所に対する注目度を、少なくとも前記放送時間特定ステップにて特定された放送時間に基づいて決定する注目度決定ステップと、前記注目度決定ステップにて決定された注目度に基づいて、前記場所特定ステップにて特定された場所の表示制御を行う表示制御ステップとを含む。
【００１５】
また、請求項１０に記載のナビゲーションプログラムは、請求項９に記載の方法をコンピュータに実行させることを特徴とする。
【発明の効果】
【００１６】
請求項１に記載のナビゲーション装置、請求項９に記載のナビゲーション方法、及び請求項１０に記載のナビゲーションプログラムによれば、番組に関連する場所に対する注目度を決定し、この注目度に基づいて場所の表示制御を行うので、番組に関連した場所をユーザが参照等する上での利便性や実用性を向上させることができる。
【００１７】
また、請求項２に記載のナビゲーション装置によれば、重み付け係数合計値と放送時間に基づいて注目度を決定するので、番組情報に含まれる様々な重み付け要素を考慮して注目度を決定することが可能となる。
【００１８】
また、請求項３に記載のナビゲーション装置によれば、番組の番組カテゴリ、番組の放送エリア、番組の放送形態、ユーザによる番組の視聴履歴、又は番組の視聴率の少なくとも一つを考慮して、注目度を決定することが可能となる。
【００１９】
また、請求項４に記載のナビゲーション装置によれば、ユーザが視聴した番組に関連する場所が他の場所と区別可能となるように表示されるので、ユーザは、表示された場所が自己が視聴した番組に関連する場所であるか否かを容易に把握することができ、例えば、自己が視聴した番組に関連する場所を目的地に設定すること等を容易に行うことができる。
【００２０】
また、請求項５に記載のナビゲーション装置によれば、注目度に基づいて探索した車両の走行経路が表示されるように表示制御を行うので、注目度に関連した車両の走行経路をユーザに提示することが可能となり、車両の走行経路を設定する上での利便性や実用性を一層向上させることができる。
【００２１】
また、請求項６に記載のナビゲーション装置によれば、注目度が高い順に特定された所定数の場所を経由する走行経路の探索を行うので、注目度が高い場所を経由する走行経路をユーザに提示することが可能となる。
【００２２】
また、請求項７に記載のナビゲーション装置によれば、注目エリアの中で注目度が高い順に所定数の場所を特定し、当該特定した所定数の場所を周遊する走行経路の探索を行うので、注目エリアに含まれる場所であって注目度の高い所定数の場所を周遊する走行経路をユーザに提示することが可能となる。
【００２３】
また、請求項８に記載のナビゲーション装置によれば、所定基準以上の注目度の場所を回避地として走行経路の探索を行うので、混雑している可能性が高いと想定される場所を回避した走行経路をユーザに提示することが可能となる。
【図面の簡単な説明】
【００２４】
【図１】本発明の実施の形態１に係るナビゲーション装置を例示するブロック図である。
【図２】重み付け情報の構成例を示す図である。
【図３】ＰＯＩ情報の構成例を示す図である。
【図４】ＰＯＩ情報処理のフローチャートである。
【図５】注目度処理のフローチャートである。
【図６】表示制御処理のフローチャートである。
【図７】ＰＯＩに基づく注目度ランキングテーブルの表示例を示す図である。
【図８】ＰＯＩを地図情報に重畳表示した表示例を示す図である。
【図９】注目エリアに基づく注目度ランキングテーブルの表示例を示す図である。
【図１０】注目エリアを地図情報に重畳表示した表示例を示す図である。
【図１１】実施の形態２に係るナビゲーション装置を例示するブロック図である。
【図１２】回避範囲情報の構成例を示す図である。
【図１３】経路探索処理のフローチャートである。
【図１４】経路探索処理において探索された走行経路の一例を示す図であり、図１４（ａ）は経由地の設定前の走行経路を示す図、図１４（ｂ）は経由地の設定後の走行経路を示す図である。
【図１５】経路探索処理において探索された走行経路の一例を示す図であり、図１５（ａ）は回避地の回避前の走行経路を示す図、図１５（ｂ）は回避地の回避範囲を示す図、図１５（ｃ）は回避地の回避後の走行経路を示す図である。
【発明を実施するための形態】
【００２５】
以下、本発明に係るナビゲーション装置、ナビゲーション方法、及びナビゲーションプログラムの各実施の形態について図面を参照しつつ詳細に説明する。ただし、各実施の形態によって本発明が限定されるものではない。
【００２６】
〔実施の形態１〕
まず、実施の形態１について説明する。この実施の形態１は、番組情報に基づいて場所の注目度を決定し、当該決定した注目度に基づいて場所の表示制御を行う形態である。
【００２７】
（構成）
図１は実施の形態１に係るナビゲーション装置を例示するブロック図である。このナビゲーション装置１は、現在位置検出処理部１０、モニタ２０、スピーカ３０、操作部４０、番組受信部５０、通信部６０、制御部７０、及びデータ記録部８０を備えている。
【００２８】
（構成−現在位置検出処理部）
現在位置検出処理部１０は、ナビゲーション装置１が取り付けられた車両（以下「自車両」）の現在位置を検出する現在位置検出手段である。具体的には、現在位置検出処理部１０は、ＧＰＳ、地磁気センサ、距離センサ、ステアリングセンサ、又はジャイロセンサ（いずれも図示省略）の少なくとも一つを有し、現在の自車両の位置及び方位等を公知の方法にて検出する。
【００２９】
（構成−モニタ）
モニタ２０は、ナビゲーション装置１による各種の処理に伴う情報を表示するための表示手段である。このモニタ２０としては、公知の液晶ディスプレイや有機ＥＬディスプレイの如きフラットパネルディスプレイ、又は車両のフロントガラスにホログラムを投影するホログラム装置等を使用することができる。
【００３０】
（構成−スピーカ）
スピーカ３０は、ナビゲーションに関する音声ガイダンス等を出力する出力手段である。なお、スピーカ３０より出力される音声の具体的な態様は任意であり、必要に応じて生成された合成音声や、予め録音された音声を出力することができる。
【００３１】
（構成−操作部）
操作部４０は、ユーザによる操作入力を受け付ける操作手段である。この操作部４０の具体的な構成は任意であり、例えば、モニタ２０の前面に設けたタッチパネル、押しボタン、リモートコントローラの如き遠隔操作手段、あるいは、音声入力を受け付けるマイクの如き音声認識手段を用いて操作部４０を構成することができる。
【００３２】
（構成−番組受信部）
番組受信部５０は、番組を受信する番組受信手段である。ここで、「番組」とは、ＴＶ番組やラジオ番組を含むものであるが、これらに限定されず任意の放送形態による番組を含む。また、「番組」は、放送局から放送された番組（以下、「一次番組」）と、一次番組を中継や録画再生する機器から出力された番組（以下、「二次番組」）を含む。本実施の形態１においては、番組受信部５０は、一次番組を取得するためのアンテナ及びチューナーを有する放送受信手段として構成されているが、二次番組を外部機器から受信するための受信用のインターフェースとして構成されてもよい。
【００３３】
この「番組」に関する情報を、ここでは「番組情報」と称する。この番組情報は、「番組本体情報」と「番組付随情報」を含む。「番組本体情報」とは、番組本体を構成する情報であって、例えば、番組がＴＶ番組である場合には、当該ＴＶ番組を構成する音声情報や映像情報が該当し、番組がラジオ番組である場合には、当該ラジオ番組を構成する音声情報が該当する。また、「番組付随情報」とは、番組に付随する情報であって、例えば、番組が地上デジタル放送やＢＳデジタル放送によるデジタルＴＶ番組である場合には、文字データ放送等を行うための文字情報、デジタル信号にパケットとして挿入されるＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、あるいは、番組放送に伴い付随的に配信される情報（メタ情報）が該当する。ＳＩには、例えば、電子番組表（ＥＰＧ：Ｅｌｅｃｔｒｏｎｉｃ  Ｐｒｏｇｒａｍ  Ｇｕｉｄｅ）を作成する元データとなり得るＥＩＴ（Ｅｖｅｎｔ  Ｉｎｆｏｒｍａｔｉｏｎ  Ｔａｂｌｅ）が含まれる。ここで、番組付随情報としては、少なくとも、「番組名」、「チャンネル」、「放送時刻」、「番組カテゴリ（ここでは、ニュース、ドラマ、又はバラエティのいずれであるのかを特定するための情報）」、「放送エリア（ここでは、全国であるかローカルであるかを特定するための情報）」、及び「放送形態（ここでは、リアルタイム放送であるか再放送であるかを特定するための情報）」が含まれることとする。なお、「番組付随情報」には、番組の「視聴率」と、ユーザによる番組の「視聴履歴情報」も含まれることとするが、「視聴率」は通信部６０にて別途受信されるものとし、「視聴履歴情報」は後述する視聴履歴情報取得部７３ｃによって別途取得されるものとする。
【００３４】
（構成−通信部）
通信部６０は、外部の通信装置（例えば、既知のコンピュータ、移動体通信端末、あるいは、カーナビゲーションサービスを統括する統括センター）との間で、番組の視聴率をネットワークを介して通信するための通信手段である。
【００３５】
（構成−制御部）
制御部７０は、ナビゲーション装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態１に係るナビゲーションプログラムは、任意の記録媒体又はネットワークを介してナビゲーション装置１にインストールされることで、制御部７０の各部を実質的に構成する。
【００３６】
この制御部７０は、機能概念的に、番組本体情報取得部７１、番組付随情報取得部７２、ＰＯＩ情報取得部７３、注目度決定部７４、表示制御部７５、及び経路探索部７６を備えている。番組本体情報取得部７１は、番組情報を取得する番組情報取得手段であり、より具体的には、番組本体情報を取得する番組本体情報取得手段である。番組付随情報取得部７２は、番組情報を取得する番組情報取得手段であり、より具体的には、番組付随情報を取得する番組付随情報取得手段である。ＰＯＩ情報取得部７３は、番組本体情報又は番組付随情報に基づいて、番組に関連する場所（以下、必要に応じて、場所を「ＰＯＩ」（Ｐｏｉｎｔ  Ｏｆ  Ｉｎｔｅｒｅｓｔ）と称する）に関する情報であるＰＯＩ情報を取得するＰＯＩ情報取得手段である。ここで、ＰＯＩとは、各種のお店や施設の位置を示す「地点」のみならず、さらに広い範囲を示す「地域（例えば、市町村レベルの範囲や、行政区画以外の概念で特定されるエリア（例えば、山の手地区や、下町地区等）」を含み得る概念である。このＰＯＩ情報取得部７３は、機能概念的に、ＰＯＩ特定部７３ａ、放送時間特定部７３ｂ、及び視聴履歴情報取得部７３ｃを備える。ＰＯＩ特定部７３ａは、番組本体情報又は番組付随情報に基づいて、ＰＯＩを特定する場所特定手段である。放送時間特定部７３ｂは、番組本体情報又は番組付随情報に基づいて、ＰＯＩ特定部７３ａにて特定されたＰＯＩの放送時間を特定する放送時間特定手段である。ここで、ＰＯＩの放送時間には、例えば、番組においてＰＯＩが直接的に紹介された時間（例えば、ＰＯＩ自体がバラエティで紹介された時間や、ＰＯＩで行われたイベントがニュースで報道された時間）と、番組においてＰＯＩが間接的に紹介された時間（例えば、ＰＯＩ自体を紹介したものではないが、ＰＯＩにおいてロケが行われたドラマにおいて当該ＰＯＩが登場した時間）が該当する。視聴履歴情報取得部７３ｃは、ユーザによる番組の視聴履歴情報を取得する視聴履歴情報取得手段である。注目度決定部７４は、ＰＯＩ特定部７３ａにて特定されたＰＯＩに対する注目度を、放送時間特定部７３ｂにて特定された放送時間に基づいて決定する注目度決定手段である。表示制御部７５は、注目度決定部７４にて決定された注目度に基づいて、ＰＯＩ特定部７３ａにて特定されたＰＯＩの表示制御を行う表示制御手段である。経路探索部７６は、注目度決定部７４にて算定された注目度に基づいて、自車両の走行経路を探索する経路探索手段である。これら制御部７０の各構成要素によって実行される処理の詳細については後述する。
【００３７】
（構成−データ記録部）
データ記録部８０は、ナビゲーション装置１の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３８】
このデータ記録部８０は、地図情報データベース（以下データベースを「ＤＢ」と称する）８１、視聴履歴情報ＤＢ８２、重み付け情報ＤＢ８３、ＰＯＩ情報ＤＢ８４、及び注目度情報ＤＢ８５を備えている。
【００３９】
地図情報ＤＢ８１は、地図情報を格納する地図情報格納手段である。地図情報とは、ナビゲーションに必要な情報であり、例えば、コンビニ、ガソリンスタンド、レストラン、レジャー施設等の施設を案内するための施設データ（各施設の位置、各施設の種別、及び各施設を示すアイコンの描画情報を相互に関連付けた情報を含む）、地図をモニタ２０に表示するための地図表示データ、各地点の住所、及び目的地に至るまでの経路を探索するための探索データ（各交差点に関する交差点データや、ノード点に関するノードデータを含む）等を含んで構成されている。
【００４０】
視聴履歴情報ＤＢ８２は、視聴履歴情報を格納する格納する視聴履歴情報格納手段である。ここで、視聴履歴情報は、例えば、ユーザが視聴した番組の「番組名」、「視聴時刻」、及び「チャンネル」を含む。この視聴履歴情報は、後述する視聴履歴処理において視聴履歴情報取得部７３ｃによって取得されて、視聴履歴情報ＤＢ８２に格納される。
【００４１】
重み付け情報ＤＢ８３は、重み付け情報を格納する重み付け情報格納手段である。ここで重み付け情報とは、番組に関連するＰＯＩに対する注目度を算定するための情報である。図２には、重み付け情報の構成例を示す。この図２に示すように、重み付け情報は、項目「重み付け要素」に対応する情報と項目「重み付け係数」に対応する情報を相互に関連付けて格納されている。項目「重み付け要素」に対応する情報は、番組本体情報又番組付随情報に含まれ得る情報の中で、注目度の算定を行うための要素（パラメータ）として予め選定された情報であり、ここでは、「番組カテゴリ（ニュース、ドラマ、又はバラエティ）」、「放送エリア（コミュニティ、ローカル、又は全国）」、「放送形態（再放送又はリアルタイム放送）」、「視聴履歴（無し又は有り）」、及び「視聴率（１０％未満又は１０％以上）」である。項目「重み付け係数」に対応する情報は、各重み付け要素に付与する重み付けの値であり、ここでは、「番組カテゴリ（ニュース）」＝１、「番組カテゴリ（ドラマ）」＝２、「番組カテゴリ（バラエティ）」＝３、「放送エリア（コミュニティ）」＝１、「放送エリア（ローカル）」＝２、「放送エリア（全国）」＝３、「放送形態（再放送）」＝１、「放送形態（リアルタイム放送）」＝２、「視聴履歴（無し）」＝１、「視聴履歴（有り）」＝２、「視聴率（１０％未満）」＝１、「視聴率（１０％以上）」＝２、と設定されている。この重み付け係数の設定方法は任意であるが、ここでは、注目度が高い程、重み付け係数が大きくなるように設定としている。すなわち、番組カテゴリがバラエティである番組、ドラマである番組、ニュースである番組の順に注目度が高く（ニュースで紹介等されるＰＯＩは、事件等が発生したＰＯＩである可能性が高く、注目度が高いとしても善良な注目度ではないとして、注目度を低くする）、放送エリアがコミュニティである番組、ローカルである番組、全国である番組の順に注目度が高く、放送形態がリアルタイム放送である番組は再放送である番組に比べて注目度が高く、ユーザの視聴履歴が有る番組は視聴履歴が無い番組に比べて注目度が高く（ユーザが視聴している番組は、当該ユーザが興味を持っている番組である可能性が高いとして、注目度を高くする）、視聴率が１０％以上である番組は１０％未満である番組に比べて注目度が高いとしている。
【００４２】
図１のＰＯＩ情報ＤＢ８４は、ＰＯＩ情報取得部７３にて取得されたＰＯＩ情報を格納するＰＯＩ情報格納手段である。図３には、ＰＯＩ情報の構成例を示す（なお、図３では、図示の便宜上、ＰＯＩ情報を分割して示しているが、実際には連続した情報として構成される）。この図３に示すように、ＰＯＩ情報は、項目「ＰＯＩＩＤ」、項目「ＰＯＩ」、項目「位置」、項目「場所カテゴリ」、項目「番組名」、項目「チャンネル」、項目「放送時間」、項目「番組カテゴリ」、項目「放送エリア」、項目「放送形態」、項目「視聴履歴」、及び、項目「視聴率」に対応する情報を相互に関連付けて格納されている。このうち項目「ＰＯＩＩＤ」に対応して格納される情報は、ＰＯＩを一意に識別するＰＯＩ識別情報であり、ＰＯＩ特定部７３ａによって生成されＰＯＩ情報ＤＢ８４に格納される。項目「ＰＯＩ」に対応して格納される情報は、ＰＯＩを示す情報（例えば、ＰＯＩが特定の施設である場合には、当該施設の名称）である。項目「位置」に対応して格納される情報は、ＰＯＩ特定部７３ａによって特定されたＰＯＩの位置を特定するための情報であり、例えばＰＯＩの住所や座標が該当する。項目「場所カテゴリ」に対応して格納される情報は、番組に関連するＰＯＩのカテゴリを示す情報であって、ＰＯＩ特定部７３ａによって決定されＰＯＩ情報ＤＢ８４に格納される。項目「放送時間」に対応して格納される情報は、各ＰＯＩの放送時間であり、ＰＯＩ特定部７３ａによって決定されＰＯＩ情報ＤＢ８４に格納される。項目「番組名」、項目「チャンネル」、項目「番組カテゴリ」、項目「放送エリア」、及び項目「放送形態」に対応して格納される情報は、基本的には番組本体情報に関する説明で述べた各情報と同じであるが、項目「ＰＯＩＩＤ」に対応する情報にて特定されるＰＯＩ毎の情報であり、番組付随情報取得部７２にて取得されＰＯＩ情報ＤＢ８４に格納される。項目「視聴履歴」に対応して格納される情報は、ＰＯＩが紹介された番組をユーザが視聴したか否かを特定する情報であり、ここでは、「視聴履歴＝有り」又は「視聴履歴＝無し」のいずれかであって、視聴履歴情報ＤＢ８２の視聴履歴情報に基づいてＰＯＩ情報ＤＢ８４に格納される。項目「視聴率」に対応して格納される情報は、ＰＯＩが紹介された番組の視聴率であり、通信部６０によって取得されＰＯＩ情報ＤＢ８４に格納される。
【００４３】
図１の注目度情報ＤＢ８５は、注目度決定部７４にて決定されたＰＯＩ毎の注目度に関する注目度情報を格納する注目度情報格納手段である。この注目度情報は、例えば、項目「ＰＯＩＩＤ」及び項目「注目度」に対応する情報を相互に関連付けて格納されている。このうち項目「ＰＯＩＩＤ」に対応して格納される情報は、ＰＯＩ情報ＤＢ８４の項目「ＰＯＩＩＤ」に対応して格納される情報と同じである。項目「注目度」に対応して格納される情報は、注目度決定部７４にて決定されたＰＯＩ毎の注目度である。
【００４４】
（処理）
このように構成されるナビゲーション装置１によって実行される処理について以下説明する。この処理に先立って、地図情報ＤＢ８１には地図情報が格納されると共に重み付け情報ＤＢ８３には重み付け情報が格納されているものとする。ただし、視聴履歴情報ＤＢ８２の視聴履歴情報、ＰＯＩ情報ＤＢ８４のＰＯＩ情報、及び注目度情報ＤＢ８５の注目度情報は未格納の状態であるものとする。この処理は、視聴履歴処理、ＰＯＩ情報処理、注目度処理、表示制御処理、及び経路探索処理に大別される。なお、特記しない制御に関しては、制御部７０が行うこととする。また、以下の各処理では、ナビゲーション装置１の電源は常時ＯＮされており、自車両の運転時であるか否かに関わらず、各処理を実行することが可能となっているものとする。
【００４５】
（処理−視聴履歴処理）
最初に、視聴履歴処理について説明する。この視聴履歴処理は、視聴履歴情報を取得して視聴履歴情報ＤＢ８２に格納するための処理であり、例えば、ユーザが番組受信部５０にて受信された番組をモニタ２０及びスピーカ３０にて視聴した場合に開始される。すなわち、視聴履歴情報取得部７３ｃは、番組受信部５０における番組の受信状態と、モニタ２０及びスピーカ３０における番組の視聴状態に基づいて、ユーザが番組を視聴しているか否かを監視し、視聴した場合には、ユーザが視聴した番組の「番組名」、「放送時刻」、及び「チャンネル」を、番組付随情報取得部７２を介して取得する。すなわち、番組付随情報取得部７２は、番組受信部５０にて受信された番組に含まれる番組付随情報であって、ユーザが視聴している番組に対応する番組付随情報を解析することにより、「番組名」、「放送時刻」、及び「チャンネル」を取得し、これらの情報を視聴履歴情報取得部７３ｃに出力する。視聴履歴情報取得部７３ｃは、番組付随情報取得部７２を介して取得したこれらの情報を、、「番組名」、「視聴時刻」、及び「チャンネル」として相互に関連付けて、視聴履歴情報として視聴履歴情報ＤＢ８２に格納する。これにて視聴履歴処理が終了する。以降同様に、ユーザが番組を視聴する毎に、当該視聴した番組の「番組名」、「視聴時刻」、及び「チャンネル」が、視聴履歴情報ＤＢ８２に蓄積される。
【００４６】
（処理−ＰＯＩ情報処理）
次に、ＰＯＩ情報処理について説明する。図４はＰＯＩ情報処理のフローチャートである（以下の各処理の説明ではステップを「Ｓ」と略記する）。このＰＯＩ情報処理は、ＰＯＩ情報を取得してＰＯＩ情報ＤＢ８４に格納するための処理であり、番組付随情報取得部７２及びＰＯＩ情報取得部７３にて常時継続して実行される。
【００４７】
まず、ＰＯＩ情報取得部７３のＰＯＩ特定部７３ａは、番組受信部５０にて受信され番組本体情報取得部７１によって取得された全ての番組の各々に含まれる番組本体情報、又は、番組付随情報取得部７２によって取得された全ての番組の各々に含まれる番組付随情報に基づいて、各番組に関連する「ＰＯＩ」、「位置」、及び「場所カテゴリ」を特定する（ＳＡ１）。この特定を行うための具体的な方法は任意であるが、例えば、番組本体情報に含まれる映像情報を対象とする画像解析、番組本体情報に含まれる音声情報を対象とする音声解析、番組付随情報を対象とする文字認識や言語解析等により、特定を行う。すなわち、映像情報に特定の施設名が所定回数以上含まれている場合や、番組付随情報に含まれる番組名に特定の施設名が１回でも含まれている場合には、当該施設名を、当該番組に関連するＰＯＩとして特定する。また、映像情報に特定の位置（住所）が所定回数以上含まれている場合や、番組付随情報に含まれる「番組名」に特定の位置（住所）が１回でも含まれている場合には、当該位置（住所）を、当該番組に関連するＰＯＩの位置として特定する。あるいは、番組付随情報に、ＰＯＩの座標が含まれている場合には、当該座標をＰＯＩの位置として特定してもよい。また、映像情報に特定のカテゴリを示す文字（グルメ、ファッション、レジャー等）が所定回数以上含まれている場合や、番組付随情報に含まれる番組名に特定のカテゴリを示す文字が１回でも含まれている場合には、当該文字にて特定されるカテゴリを、当該番組に関連するＰＯＩのカテゴリとして特定する。ここで、同一のＰＯＩに対して異なる位置が特定される場合には、相互に同一名称であるが異なる位置の複数のＰＯＩが存在するものとし、相互に別々のＰＯＩとして特定してもよい。あるいは、異なるＰＯＩに対して同一の位置が特定される場合には、相互に同一位置にあるＰＯＩが異なる名称で呼ばれているとし、相互に同一のＰＯＩとして特定してもよい。
【００４８】
次いで、放送時間特定部７３ｂは、番組受信部５０にて受信され番組本体情報取得部７１によって取得された全ての番組の各々に含まれる番組本体情報と、番組付随情報取得部７２によって取得された全ての番組の各々に含まれる番組付随情報とに基づいて、ＳＡ２で特定されたＰＯＩ毎に、「放送時間」を特定する（ＳＡ２）。この特定を行うための具体的な方法は任意であるが、例えば、番組本体情報に含まれる映像情報を対象とする画像解析、番組本体情報に含まれる音声情報を対象とする音声解析、番組付随情報を対象とする文字認識や言語解析等により、特定を行う。すなわち、映像情報に最初にＰＯＩが含まれた時点から、映像情報に最後にＰＯＩが含まれた時点までの経過時間を算定し、当該算定した経過時間を当該ＰＯＩの放送時間とする。あるいは、番組付随情報に含まれる「番組名」にＰＯＩが一つのみ含まれている場合には、番組全体が当該ＰＯＩに関する番組であるとし、当該番組全体の放送時間を、当該ＰＯＩの放送時間とする。また、ＰＯＩ毎の放送時間の算定が困難である場合には、当該番組全体の放送時間を、当該ＰＯＩの放送時間としてもよい。
【００４９】
また、ＰＯＩ情報取得部７３は、ＳＡ２で特定されたＰＯＩ毎に、「番組名」、「チャンネル」、「放送エリア」、及び「放送形態」を取得する（ＳＡ３）。これらの各情報は、ＰＯＩが取得された番組の番組付随情報であって、ＳＡ１で番組付随情報取得部７２によって取得された番組付随情報から取得することができる。これら各情報の取得に際しては、番組本体情報や番組付随情報を対象として、上述したＰＯＩ特定部７３ａによる処理と同様の各種の解析を行うことにより、取得してもよい。
【００５０】
次いで、ＰＯＩ情報取得部７３は、ＳＡ２で特定されたＰＯＩ毎に、「視聴履歴」を取得する（ＳＡ４）。具体的には、ＳＡ４で取得されたＰＯＩ毎の「番組名」及び「チャンネル」が視聴履歴情報ＤＢ８２の視聴履歴情報にも同様の組み合わせで格納されているか否かを判定することにより、ＰＯＩが紹介された各番組のユーザの視聴履歴の有無を判定する。ただし、同一の番組名及びチャンネルであっても放送時間が異なる場合（特定の番組名の番組が、同一チャンネルにおいて、再放送された場合）が考えられるため、ＰＯＩ情報取得部７３が、番組付随情報から、各ＰＯＩが登場した番組の放送時刻を取得してＰＯＩ情報に含めておき、この放送時刻が、視聴履歴情報の視聴時刻に含まれるか否かを考慮して、判定を行ってもよい。そして、番組付随情報取得部７２は、ユーザの視聴履歴が有ると判定した場合には、「視聴履歴＝有り」と判定し、ユーザの視聴履歴が無いと判定した場合には、「視聴履歴＝無し」と判定する。
【００５１】
次いで、ＰＯＩ情報取得部７３は、各ＰＯＩが紹介等された番組の視聴率を、通信部６０を介して取得する（ＳＡ５）。この視聴率については、ＰＯＩが紹介された番組全体ではなく、ＰＯＩが紹介された部分のみの視聴率を取得してもよく、例えば、各番組の放送時刻中の詳細な視聴率を通信部６０を介して取得し、ＳＡ３では、各ＰＯＩが番組内において紹介等された時刻を特定し、本工程では、通信部６０を介して取得した視聴率の中から、各ＰＯＩが番組内において紹介等された時刻に対応する視聴率を取得するようにしてもよい。なお、番組放送直後には、視聴率が未だ集計等されていないために取得できない可能性があるため、本工程については、ＳＡ１からＳＡ５を行った後、所定期間（例えば１日）経過後に実行するようにしてもよい。
【００５２】
その後、ＰＯＩ情報取得部７３は、ＳＡ２で特定されたＰＯＩ毎に、「ＰＯＩＩＤ」を所定方法（例えば連番）にて生成し（ＳＡ６）、このＰＯＩＩＤをキーとして、ＳＡ１からＳＡ５で取得された各情報を関連付けて、ＰＯＩ情報としてＰＯＩ情報ＤＢ８４に格納する（ＳＡ７）。これにて、ＰＯＩ情報処理が終了する。
【００５３】
（処理−注目度処理）
次に、注目度処理について説明する。図５は注目度処理のフローチャートである。この注目度処理は、ＰＯＩ特定部７３ａにて特定されたＰＯＩの注目度を決定するための処理であり、例えば、ユーザから操作部４０を介して表示制御処理が起動された場合に、当該表示制御処理に先立って起動される。
【００５４】
注目度決定部７４は、ＰＯＩ情報ＤＢ８４から各ＰＯＩの放送時間を取得する（ＳＢ１）。この時、ＰＯＩ情報ＤＢ８４における複数のレコードに、同一の位置を示すレコードがある場合には、これらのレコードは同一のＰＯＩに関するものであるとし、各レコードの放送時間を合計し、当該合計した放送時間を、当該ＰＯＩの放送時間としてもよい。
【００５５】
次いで、注目度決定部７４は、ＰＯＩ情報ＤＢ８４に格納されているＰＯＩ情報と、重み付け情報ＤＢ８３に格納されている重み付け情報を参照することで、ＰＯＩ情報ＤＢ８４の各ＰＯＩの重み付け係数の合計値を算定する（ＳＢ２）。具体的には、ＰＯＩ情報から各ＰＯＩ毎の「番組カテゴリ」、「放送エリア」、「放送形態」、「視聴履歴」、及び「視聴率」を特定し、これら特定した情報に合致する重み付け要素に対応する重み付け係数を重み付け情報から取得し、当該取得した重み付け係数の合計値を算出する。例えば、図３のＰＯＩ情報の先頭レコードを参照し、ＰＯＩ「Ａレストラン」に関連付けて格納されている「番組カテゴリ＝ニュース」、「放送エリア＝ローカル」、「放送形態＝リアルタイム放送」、「視聴履歴=有り」、及び「視聴率＝９．１％」を特定し、これら特定した情報に合致する重み付け要素に対応する重み付け係数として、それぞれ「１」、「２」、「２」、「２」、「１」を取得し、当該取得した重み付け係数の合計値「８」を算出する。
【００５６】
次いで、注目度決定部７４は、ＳＢ１で取得した各ＰＯＩの放送時間と、ＳＢ２で算定した各ＰＯＩの重み付け係数の合計値を、各ＰＯＩ毎に乗算することで、各ＰＯＩ毎の注目度を算定する（ＳＢ３）。例えば、図３のＰＯＩ情報の先頭レコードにおけるＰＯＩ「Ａレストラン」の放送時間が「７（時間）」であり、当該ＰＯＩ「Ａレストラン」の重み付け係数の合計値が上記の例で「８」であるため、当該ＰＯＩ「Ａレストラン」の注目度を「５６（＝７×８）ポイント」とする。
【００５７】
そして、注目度決定部７４は、各ＰＯＩのＰＯＩＩＤをＰＯＩ情報ＤＢ８４から取得し、当該取得したＰＯＩＩＤと、ＳＢ３で算定した各ＰＯＩの注目度を、相互に関連付けて注目度情報として注目度情報ＤＢ８５に格納する（ＳＢ４）。これにて注目度処理が終了する。
【００５８】
（処理−表示制御処理）
次に、表示制御処理について説明する。図６は表示制御処理のフローチャートである。この表示制御処理は、注目度決定部７４にて決定された注目度に基づいて表示制御を行うための処理であり、例えば、ユーザから操作部４０を介して表示制御処理の起動が指示された場合において、上述の注目度処理が終了した後に、起動される。
【００５９】
表示制御処理が起動されると、表示制御部７５は、ＰＯＩに基づく注目度ランキングと、注目エリアに基づくランキングのうち、いずれか一方をユーザに選択してもらうための所定のメニュー画面（図示省略）をモニタ２０に表示する（ＳＣ１）。
【００６０】
ユーザがＰＯＩに基づく注目度ランキングを操作部４０を介して所定方法で選択した場合（ＳＣ２、ＰＯＩ）、表示制御部７５は、ＰＯＩ情報処理にてＰＯＩ情報ＤＢ８４に格納されたＰＯＩ情報と、注目度処理にて注目度情報ＤＢ８５に格納された注目度情報に基づいて、ＰＯＩに基づく注目度ランキングテーブルを作成し、この注目度ランキングテーブルをモニタ２０に表示する（ＳＣ３）。
【００６１】
図７はＰＯＩに基づく注目度ランキングテーブルの表示例を示す図である。この注目度ランキングテーブルは、注目度情報に格納されたＰＯＩの中で、所定基準により決定した順位の高い順に、所定数のＰＯＩと当該ＰＯＩに関するＰＯＩ情報とを表示するテーブルである。ここでは、順位を決定する所定基準として、例えば、注目度情報ＤＢ８５に格納された「注目度」を使用する。すなわち、図７の例では、注目度情報ＤＢ８５に格納された「注目度」の高い順に、所定数（ここでは５つ）のＰＯＩが表示されている。また、ＰＯＩの近傍には、「注目度」として「第１位」から「第５位」まで順位が表示されると共に、各ＰＯＩについての「注目エリア」、「放送時間」、「注目度」、「場所カテゴリ」が表示されている。「注目エリア」とは、ＰＯＩの位置を含む領域を、適切な大きさに区画（ここでは市町村）して形成された領域であり、ここでは、各ＰＯＩの位置に基づき特定された区画であって、当該位置を含む市町村を注目エリアとしている。この注目エリアは、注目度情報ＤＢ８５の各ＰＯＩに対応するＰＯＩＩＤに基づいてＰＯＩ情報ＤＢ８４から各ＰＯＩの位置を取得し、当該位置を含む市町村を特定することで表示される。「放送時間」及び「場所カテゴリ」は、注目度情報ＤＢ８５の各ＰＯＩに対応するＰＯＩＩＤに基づいてＰＯＩ情報ＤＢ８４から取得される。「注目度」は、注目度情報ＤＢ８５から取得される。
【００６２】
なお、順位を決定する所定基準としては、「注目度」以外の情報を用いてもよく、例えば、「放送時間」を用いてもよい。具体的には、ユーザが注目度ランキングテーブルに表示された「放送時間」を操作部４０を介して所定方法で選択すると、「放送時間」の高い順に、所定数（ここでは５つ）のＰＯＩが表示されるように、注目度ランキングテーブルが更新される。また、この更新後の状態から、ユーザが注目度ランキングテーブルに表示された「注目度」を操作部４０を介して所定方法で選択すると、図７の表示に復帰する。あるいは、最初から、「放送時間」を基準とする順位により注目度ランキングテーブルを表示してもよい。このような注目度ランキングテーブルを見ることにより、ユーザは、注目度の高いＰＯＩや、放送時間の長いＰＯＩを容易に把握することができる。
【００６３】
図６の表示制御処理において、このようにＰＯＩに基づく注目度ランキングテーブルが表示されている状態から、ユーザが地図表示を操作部４０を介して所定方法で指示すると（ＳＣ４、Ｙｅｓ）、表示制御部７５は、現在位置検出処理部１０から自車両の現在位置を取得し、当該取得した現在位置を中心とする所定範囲（例えば半径１０ｋｍ圏内。以下「表示範囲」）の地図情報を地図情報ＤＢ８１から取得し、当該取得した地図情報をモニタ２０に表示する（ＳＣ５）。この地図情報の表示例を図８に示す。
【００６４】
この際、表示制御部７５は、表示範囲に含まれる各ＰＯＩの位置に対応するＰＯＩを示す識別子（マーカー）２０ａを、地図情報に重畳表示する。例えば、表示制御部７５は、注目度情報ＤＢ８５の各ＰＯＩに対応するＰＯＩＩＤに基づいて、ＰＯＩ情報ＤＢ８４から各ＰＯＩの位置を取得し、当該位置に基づいて、表示範囲に含まれるＰＯＩを特定し、当該特定したＰＯＩの位置に対応するＰＯＩを示す識別子２０ａを、地図情報に重畳表示する。また、この識別子２０ａの近傍には、当該識別子２０ａによって示されたＰＯＩに対応するＰＯＩの注目度ランキング（図７のＰＯＩに基づく注目度ランキングや、放送時間に基づく注目度ランキング）における順位を示す吹き出し２０ｂが表示される。これらの識別子２０ａや吹き出し２０ｂを見ることにより、ユーザは、番組で紹介等されたＰＯＩとその注目度を容易に把握することができる。
【００６５】
さらに、この際、表示制御部７５は、各ＰＯＩの位置のうち、ユーザが視聴した番組で紹介等されたＰＯＩの位置を、他のＰＯＩの位置から区別可能となるような形態で表示する。例えば、表示制御部７５は、ＰＯＩ特定部７３ａにて特定されたＰＯＩが、ユーザが視聴した番組で紹介等されたＰＯＩであるか否かを、ＰＯＩ情報ＤＢ８４のＰＯＩ情報における項目「視聴履歴」に対応する情報を参照することで特定し、番組で紹介等されたＰＯＩである場合には、当該ＰＯＩの識別子２０ａ（図８の例では最も右側の識別子２０ａ）を、他の識別子２０ａとは異なる色、形状、あるいは点滅間隔等にて表示すると共に、当該ＰＯＩの吹き出し２０ｂ（図８の例では最も右側の吹き出し２０ｂ）に「視聴済み」の文字を表示する。これらの識別子２０ａや吹き出し２０ｂを見ることにより、ユーザは、番組で紹介等されたＰＯＩのうち、自己が視聴した番組で紹介等されたＰＯＩを容易に把握することができる。例えば、ユーザは、自車両を運転中にラジオ放送を聞いて興味を持ったＰＯＩに対して、運転中であるために当該ＰＯＩをメモ等できなかった場合であっても、このような表示を見ることで容易に位置を特定することができる。
【００６６】
一方、図６の表示制御処理において、ユーザが注目エリアに基づくランキングを所定方法で選択した場合（ＳＣ２、注目エリア）、表示制御部７５は、ＰＯＩ情報処理にてＰＯＩ情報ＤＢ８４に格納されたＰＯＩ情報と、注目度処理にて注目度情報ＤＢ８５に格納された注目度情報に基づいて、注目エリアに基づく注目度ランキングテーブルを作成し、この注目度ランキングテーブルをモニタ２０に表示する（ＳＣ６）。
【００６７】
図９は注目エリアに基づく注目度ランキングテーブルの表示例を示す図である。この注目度ランキングテーブルは、所定基準により決定した順位の高い順に、所定数の注目エリアと当該注目エリアに位置が含まれるＰＯＩに関するＰＯＩ情報とを表示するテーブルである。ここでは、順位を決定する所定基準として、注目エリアに位置が含まれるＰＯＩの数（以下「ＰＯＩ数」）を使用する。すなわち、図９の例では、ＰＯＩ情報に含まれる位置に基づいて各ＰＯＩが属する注目エリアを特定し、当該特定した注目エリア毎に、当該注目エリアに位置が含まれるＰＯＩの数を算定することで、ＰＯＩ数を特定し、当該特定したＰＯＩ数の大きい順に、所定数（ここでは５つ）の注目エリアが表示されている。また、注目エリアの近傍には、「注目度」として「第１位」から「第５位」まで順位が表示されると共に、各注目エリアについての「ＰＯＩ数」、「放送時間」、「注目度」が表示されている。「放送時間」は、各注目エリアに位置が含まれる各ＰＯＩの放送時間を、注目度情報ＤＢ８５の各ＰＯＩに対応するＰＯＩＩＤに基づいてＰＯＩ情報ＤＢ８４から取得し、これらの放送時間を各注目エリア毎に合算して取得される。「注目度」は、各注目エリアに位置が含まれる各ＰＯＩの注目度を、注目度情報ＤＢ８５から取得し、これらの注目度を各注目エリア毎に合算して取得される。
【００６８】
なお、順位を決定する所定基準としては、「ＰＯＩ数」以外の情報を用いてもよく、例えば、「放送時間」や「注目度」を用いてもよい。例えば、ユーザが注目度ランキングテーブルに表示された「放送時間」を操作部４０を介して所定方法で選択すると、「放送時間」の高い順に、所定数（ここでは５つ）のＰＯＩが表示されるように、注目度ランキングテーブルが更新される。あるいは、ユーザが注目度ランキングテーブルに表示された「注目度」を操作部４０を介して所定方法で選択すると、「注目度」の高い順に、所定数（ここでは５つ）のＰＯＩが表示されるように、注目度ランキングテーブルが更新される。あるいは、最初から、「放送時間」や「注目度」を基準とする順位により注目度ランキングテーブルを表示してもよい。このような注目度ランキングテーブルを見ることにより、ユーザは、ＰＯＩ数が多い注目エリア、注目度の高い注目エリア、あるいは放送時間の長い注目エリアを容易に把握することができる。
【００６９】
また、このように注目エリアに基づく注目度ランキングテーブルが表示されている状態から、図７のＰＯＩに基づく注目度ランキングテーブルへ切り替えることができるようにしてもよい。例えば、注目エリアに基づく注目度ランキングテーブルにおいて、表示されている注目エリアの中から任意の注目エリアをユーザが操作部４０を介して所定方法で選択すると、当該選択された注目エリアに含まれるＰＯＩのみを対象に、放送時間又は注目度に基づく順位が特定され、この特定された順位に基づいて、図７の注目度ランキングテーブルを表示してもよい。
【００７０】
図６の表示制御処理において、このように注目エリアに基づく注目度ランキングテーブルが表示されている状態から、ユーザが地図表示を操作部４０を介して所定方法で指示すると（ＳＣ７、Ｙｅｓ）、表示制御部７５は、現在位置検出処理部１０から自車両の現在位置を取得し、当該取得した現在位置を中心とする所定範囲（例えば半径５０ｋｍ圏内。以下「表示範囲」）の地図情報を地図情報ＤＢ８１から取得し、当該取得した地図情報をモニタ２０に表示する（ＳＣ８）。この地図情報の表示例を図１０に示す。
【００７１】
この際、表示制御部７５は、表示範囲に含まれる各注目エリアを示すエリア表示２０ｃを、地図情報に重畳表示する。例えば、表示制御部７５は、各注目エリアが市町村で区画されている場合には、表示範囲に含まれる市町村を特定し、当該特定した市町村の境界線で囲繞されたエリア表示２０ｃを、地図情報に重畳表示する。このエリア表示２０ｃには、当該エリア表示２０ｃによって示された注目エリアに対応する注目度ランキング（図９の注目度ランキング）における順位と、各注目エリアが表示される。これらのエリア表示２０ｃを見ることにより、ユーザは、番組で紹介等された注目エリアとその注目度を容易に把握することができる。これにて表示制御処理が終了する。
【００７２】
（処理−経路探索処理）
最後に、経路探索処理について説明する。この経路探索処理は、自車両の目的地までの経路を探索するための処理であり、例えば、表示制御処理においてモニタ２０に表示された注目度ランキングテーブルに含まれているＰＯＩのいずれかや、表示制御処理においてモニタ２０に表示された識別子や表示領域のいずれかを、ユーザが操作部４０を介して選択した場合に起動される。
【００７３】
例えば、ＰＯＩに基づく注目度ランキングテーブルが表示されている場合や、注目エリアに基づく注目度ランキングテーブルを上述のようにＰＯＩに基づく注目度ランキングテーブルに切り替えた状態において、表示されているＰＯＩの中から任意のＰＯＩをユーザが操作部４０を介して所定方法で選択すると、経路探索部７６は、当該選択されたＰＯＩに対応する位置をＰＯＩ情報ＤＢ８４から取得する。そして、経路探索部７６は、現在位置検出処理部１０から自車両の現在位置を取得し、当該取得した現在位置を出発地にすると共に、ＰＯＩ情報ＤＢ８４から取得した位置を目的地として、公知の経路探索ロジックによる経路探索を行う。そして、表示制御部７５は、このように探索された経路を、地図情報ＤＢ８１から取得した地図情報に重畳して、モニタ２０に表示する。この経路を見ることにより、ユーザは、番組で紹介等されたＰＯＩに至る経路を容易に把握することができる。これにて経路探索処理が終了する。
【００７４】
（効果）
このように実施の形態１によれば、番組に関連するＰＯＩに対する注目度を決定し、この注目度に基づいてＰＯＩの表示制御を行うので、番組に関連したＰＯＩをユーザが参照等する上での利便性や実用性を向上させることができる。
【００７５】
また、重み付け係数合計値と放送時間に基づいて注目度を決定するので、番組本体情報又番組付随情報に含まれる様々な重み付け要素を考慮して注目度を決定することが可能となる。
【００７６】
また、番組の番組カテゴリ、番組の放送エリア、番組の放送形態、ユーザによる番組の視聴履歴、又は番組の視聴率の少なくとも一つを考慮して、注目度を決定することが可能となる。
【００７７】
また、ユーザが視聴した番組に関連する場所が他の場所と区別可能となるように表示されるので、ユーザは、表示された場所が自己が視聴した番組に関連する場所であるか否かを容易に把握することができ、例えば、自己が視聴した番組に関連する場所を目的地に設定すること等を容易に行うことができる。
【００７８】
また、注目度に基づいて探索した車両の走行経路が表示されるように表示制御を行うので、注目度に関連した車両の走行経路をユーザに提示することが可能となり、車両の走行経路を設定する上での利便性や実用性を一層向上させることができる。
【００７９】
〔実施の形態２〕
次に、実施の形態２について説明する。この実施の形態２は、実施の形態１の注目度処理にて算定された注目度に基づいて、車両の走行経路を自動的に探索する形態である。なお、実施の形態２及びそれ以降の実施の形態の構成は、特記する場合を除いて実施の形態１の構成と略同一であり、実施の形態１の構成と略同一の構成についてはこの実施の形態１で用いたものと同一の符号及び／又は名称を必要に応じて付して、その説明を省略する。
【００８０】
（構成）
図１１は実施の形態２に係るナビゲーション装置１を例示するブロック図である。このナビゲーション装置１は、図１に示した実施の形態１のナビゲーション装置１に対して、ほぼ同様に構成されているが、表示制御部７５及び経路探索部７６の一部の機能が異なり、データ記録部８０が回避範囲情報ＤＢ８６を備えている点で異なる。
【００８１】
回避範囲情報ＤＢ８６は、自車両の走行経路上の回避範囲を特定するための情報である回避範囲情報を格納する回避範囲情報格納手段である。図１２には、回避範囲情報の構成例を示す。この図１２に示すように、回避範囲情報は、項目「場所カテゴリ」に対応する情報と項目「回避範囲」に対応する情報を相互に関連付けて格納されている。項目「場所カテゴリ」に対応する情報は、図３の項目「場所カテゴリ」に対応する情報と同じである。項目「回避範囲」に対応する情報は、番組で紹介等されたＰＯＩを回避地に設定して走行経路を探索する際において、当該ＰＯＩに対する回避範囲の大きさを示す情報である。この回避情報の具体的な設定方法は任意であるが、例えば、場所カテゴリが「レジャー」等の家族向けの情報の場合には、当該場所カテゴリに対応するＰＯＩに向かう人が大人数になる傾向があり、当該ＰＯＩ及びその周辺の混雑度が高くなることが予想されるとして、回避範囲を大きくし、場所カテゴリが「ファッション」等の個人向けの情報の場合には、当該場所カテゴリに対応するＰＯＩに向かう人が少人数になる傾向があり、当該ＰＯＩ及びその周辺の混雑度がそれほど高くならないとして、回避範囲を小さくする。ここでは、回避範囲として、「大（例えば１ｋｍ）」、「中（例えば５００ｍ）、「小（例えば１００ｍ）」の３種類のいずれかを設定している。
【００８２】
（処理）
次に、実施の形態２に係るナビゲーション装置１によって実行される処理について説明する。ただし、視聴履歴処理、ＰＯＩ情報処理、注目度処理、及び表示制御処理は、実施の形態１と同様に実行されるためにその説明を省略し、以下では、経路探索処理のみを説明する。この経路探索処理に先立って、回避範囲情報ＤＢ８６には回避範囲が格納されているものとする。
【００８３】
（処理−経路探索処理）
経路探索処理について説明する。図１３は経路探索処理のフローチャートである。この経路探索処理は、自車両の走行経路を探索するための処理である。表示制御部７５は、ＰＯＩ情報処理においてＰＯＩ特定部７３ａにて特定されたＰＯＩを、「経由地」、「周遊地」、又は「回避地」のいずれかとしてユーザに選択してもらうための所定のメニュー画面（図示省略）をモニタ２０に表示する（ＳD１）。
【００８４】
「経由地」とすることが選択された場合（ＳＤ２＝経由地）、ユーザは操作部４０を介して公知の方法で目的地の位置を設定し（ＳＤ３）、経路探索部７６は、ＰＯＩ情報処理にてＰＯＩ情報ＤＢ８４に格納されたＰＯＩ情報と、注目度処理にて注目度情報ＤＢ８５に格納された注目度情報に基づいて、所定基準以上の注目度のＰＯＩを特定し（ＳＤ４）、当該特定したＰＯＩの位置をＰＯＩ情報ＤＢ８４から取得する（ＳＤ５）。ここで、所定基準の具体的内容は任意であるが、例えば、「最も注目度の高いＰＯＩ」を基準として設定したり、「注目度が１０以上のＰＯＩ」を基準として設定したり、あるいは、「自車両の現在位置を基準とする所定範囲内のＰＯＩ」を設定することができる。
【００８５】
そして、経路探索部７６は、現在位置検出処理部１０から自車両の現在位置を取得し、当該取得した現在位置を出発地とし、この出発地からＳＤ２で設定された目的地に至る経路であって、ＳＤ５で取得した位置を経由地とする経路を、公知の経路探索ロジックにより経路探索する（ＳＤ６）。そして、表示制御部７５は、このように探索された経路を、地図情報ＤＢ８１から取得した地図情報に重畳して、モニタ２０に表示する（ＳＤ７）。
【００８６】
図１４は、経路探索処理において探索された走行経路の一例を示す図であり、図１４（ａ）は経由地の設定前の走行経路を示す図、図１４（ｂ）は経由地の設定後の走行経路を示す図である。例えば、図１４（ａ）に示すように、経由地の設定前に公知の手順で設定されていた走行経路が、経由地を経由しない走行経路であったとしても、図１４（ｂ）に示すように、経由地の設定後の走行経路は、ＰＯＩの最も近傍の道路を経由する走行経路として設定される。この経路を見ることにより、ユーザは、番組で紹介等されたＰＯＩであって所定基準以上の注目度のＰＯＩを経由する経路を容易に把握することができる。これにて経路探索処理が終了する。
【００８７】
一方、図１３の経路探索処理において「周遊地」とすることが選択された場合（ＳＤ２＝周遊地）、経路探索部７６は、ＰＯＩ情報処理にてＰＯＩ情報ＤＢ８４に格納されたＰＯＩ情報と、注目度処理にて注目度情報ＤＢ８５に格納された注目度情報に基づいて、図１０と同様に、注目エリアを示すエリア表示を地図情報に重畳表示することにより、注目エリアの選択をユーザに促し、当該表示されて注目エリアの中で、周遊したい注目エリアをユーザが操作部４０を介して所定方法で選択すると（ＳＤ８）、当該選択された注目エリアに含まれるＰＯＩの中から、注目度の高い順に所定数（例えば３つ）のＰＯＩを抽出し（ＳＤ９）、当該抽出したＰＯＩの位置をＰＯＩ情報ＤＢ８４から取得する（ＳＤ１０）。
【００８８】
そして、経路探索部７６は、現在位置検出処理部１０から自車両の現在位置を取得し、当該取得した現在位置を出発地にすると共に、ＳＤ１０で取得した各ＰＯＩの位置を周遊地として、公知の経路探索ロジックによる経路探索を行う（ＳＤ１１）。すなわち、ＳＤ１０で取得した各ＰＯＩの位置を通る経路を探索する。この際、各ＰＯＩの位置をどのような順序で経由するのかについては、任意の方法で決定することができるが、例えば、自車両の現在位置から近い順に各ＰＯＩの位置を通るように探索を行ったり、注目度処理において注目度決定部７４により決定された注目度の高い順に各ＰＯＩの位置を通るように探索を行うことができる。そして、表示制御部７５は、このように探索された経路を、地図情報ＤＢ８１から取得した地図情報に重畳して、モニタ２０に表示する（ＳＤ１２）。この経路を見ることにより、ユーザは、番組で紹介等された複数のＰＯＩを巡る経路を容易に把握することができる。これにて経路探索処理が終了する。
【００８９】
あるいは、「回避地」とすることが選択された場合（ＳＤ２＝回避地）、ユーザは操作部４０を介して公知の方法で目的地の位置を設定し（ＳＤ１３）、経路探索部７６は、ＰＯＩ情報処理にてＰＯＩ情報ＤＢ８４に格納されたＰＯＩ情報と、注目度処理にて注目度情報ＤＢ８５に格納された注目度情報に基づいて、所定基準以上の注目度のＰＯＩを特定し（ＳＤ１４）、当該特定したＰＯＩの位置をＰＯＩ情報ＤＢ８４から取得する（ＳＤ１５）。ここで、所定基準の具体的内容は任意であるが、例えば、ＳＤ４と同様に設定することができる。また、経路探索部７６は、ＳＤ１４で特定した各ＰＯＩの場所カテゴリをＰＯＩ情報ＤＢ８４から取得し、当該取得した場所カテゴリに対応する回避範囲を回避範囲情報ＤＢ８６から取得する（ＳＤ１６）。
【００９０】
そして、経路探索部７６は、現在位置検出処理部１０から自車両の現在位置を取得し、当該取得した現在位置を出発地とし、この出発地からＳＤ１３で設定された目的地に至る経路であって、ＳＤ１５で取得した位置を少なくともＳＤ１６で取得した回避範囲だけ回避する経路を、公知の経路探索ロジックによって探索する（ＳＤ１７）。そして、表示制御部７５は、このように探索された経路を、地図情報ＤＢ８１から取得した地図情報に重畳して、モニタ２０に表示する（ＳＤ１８）。
【００９１】
図１５は、経路探索処理において探索された走行経路の一例を示す図であり、図１５（ａ）は回避地の回避前の走行経路を示す図、図１５（ｂ）は回避地の回避範囲を示す図、図１５（ｃ）は回避地の回避後の走行経路を示す図である。例えば、図１５（ａ）に示すように、回避地の回避前の走行経路が回避地の近傍を通る経路であり、図１５（ｂ）に示すように、各回避地の回避範囲が点線で示される円の範囲であった場合、図１５（ｃ）に示すように、回避地の回避後の走行経路は、図１５（ｂ）の点線に含まれる経路を除外した経路として設定される。
【００９２】
この経路を見ることにより、ユーザは、番組で紹介等されたＰＯＩであって所定基準以上の注目度のＰＯＩを、そのＰＯＩの場所カテゴリに応じた範囲で回避することで、渋滞や混在を回避することが可能となる経路を容易に把握することができる。これにて経路探索処理が終了する。
【００９３】
（効果）
このように実施の形態２によれば、実施の形態１と同様の効果に加えて、注目度が高い順に特定された所定数のＰＯＩを経由する走行経路の探索を行うので、注目度が高いＰＯＩを経由する走行経路をユーザに提示することが可能となる。
【００９４】
また、注目エリアの中で注目度が高い順に所定数のＰＯＩを特定し、当該特定した所定数のＰＯＩを周遊する走行経路の探索を行うので、注目エリアに含まれるＰＯＩであって注目度の高い所定数のＰＯＩを周遊する走行経路をユーザに提示することが可能となる。
【００９５】
また、所定基準以上の注目度のＰＯＩを回避地として走行経路の探索を行うので、混雑している可能性が高いと想定されるＰＯＩを回避した走行経路をユーザに提示することが可能となる。
【００９６】
〔各実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９８】
（番組情報について）
上記各実施の形態１、２において説明した番組情報（上記の例では、番組本体情報及び番組付随情報）の内容は例示であり、他の情報を加えてもよく、あるいは説明した情報の一部を除外してもよい。
【００９９】
（視聴履歴処理について）
上記各実施の形態１、２においては、ユーザが番組を視聴した場合には視聴履歴情報を格納するものと説明したが、ユーザが番組を所定時間以上継続して視聴した場合や、ユーザが番組を最初から最後まで継続して視聴した場合にのみ、視聴履歴情報を格納するようにしてもよい。あるいは、ユーザが番組を継続して視聴した時間を計時し、この視聴時刻を視聴履歴情報に含めるようにしてもよく、この場合には、重み付け情報ＤＢ８３にも、当該視聴時刻に応じた重み付け係数を格納し、注目度処理においては、当該重み付け係数を加えて注目度を決定してもよい。
【０１００】
（注目度処理について）
上記各実施の形態１、２においては、重み付け係数を合計することで注目度を算定しているが、合計以外の任意の加減乗除を組み合わせて注目度を算定してもよい。また、重み付け係数を使用することなく注目度を決定してもよく、例えば、視聴率をそのまま注目度としてもよい。
【０１０１】
（表示制御処理について）
上記各実施の形態１、２においては、モニタ２０に表示するＰＯＩを注目度に基づいて決定しているが、その他の情報を追加的に参照してＰＯＩを決定してもよい。例えば、ユーザから操作部４０を介して入力された場所カテゴリ、チャンネル、番組名等に合致するＰＯＩや、現在位置検出処理部１０から取得された自車両の現在位置を基準とする所定範囲のＰＯＩのみを、モニタ２０に表示するようにしてもよい。また、上記各実施の形態１、２においては、図７の注目度ランキングテーブルにおいて、注目度の高い順に所定数のＰＯＩを表示しているが、これに限らず、例えば、注目度の低い順に所定数のＰＯＩを表示してもよい。また、この注目度ランキングテーブルにおいては、ＰＯＩや場所カテゴリに代えて、又はＰＯＩや場所カテゴリと共に、その他の任意の情報（例えば、番組名やチャンネル）を表示するようにしてもよい。
【０１０２】
（経路探索処理について）
上記実施の形態２においては、注目度の高いＰＯＩを経由地、周遊地、あるいは回避地のいずれとして設定するのかについて、ユーザからの指示に基づいて決定しているが、自動的に決定するようにしてもよい。例えば、最も注目度の高いＰＯＩを目的地とし、次いで注目度が高い所定数のＰＯＩを当該目的地に至るまでに周遊する周遊地とし、その他のＰＯＩを回避地としてもよい。
【０１０３】
（注目エリアについて）
上述のように、上記各実施の形態１、２においては、ＰＯＩの位置が含まれる市町村を注目エリアとしているが、注目エリアの区画範囲は任意に変更可能であり、例えば、ユーザが操作部４０を介して所望の区画範囲を指定し、注目度決定部７４が地図情報ＤＢ８１に含まれている住所を参照して、当該指定された区画範囲に応じた注目エリアを決定することができる。また、市町村以外にも、地図を矩形で区切る等して、注目エリアを区画してもよい。
【符号の説明】
【０１０４】
１  ナビゲーション装置
１０  現在位置検出処理部
２０  モニタ
２０ａ  識別子
２０ｂ  吹き出し
２０ｃ  エリア表示
３０  スピーカ
４０  操作部
５０  番組受信部
６０  通信部
７０  制御部
７１  番組本体情報取得部
７２  番組付随情報取得部
７３  ＰＯＩ情報取得部
７３ａ  ＰＯＩ特定部
７３ｂ  放送時間特定部
７３ｃ  視聴履歴情報取得部
７４  注目度決定部
７５  表示制御部
７６  経路探索部
８０  データ記録部
８１  地図情報ＤＢ
８２  視聴履歴情報ＤＢ
８３  重み付け情報ＤＢ
８４  ＰＯＩ情報ＤＢ
８５  注目度情報ＤＢ
８６  回避情報ＤＢ
【図１】
2011038790.tif 000003
【図２】
2011038790.tif 000004
【図３】
2011038790.tif 000005
【図４】
2011038790.tif 000006
【図５】
2011038790.tif 000007
【図６】
2011038790.tif 000008
【図７】
2011038790.tif 000009
【図８】
2011038790.tif 000010
【図９】
2011038790.tif 000011
【図１０】
2011038790.tif 000012
【図１１】
2011038790.tif 000013
【図１２】
2011038790.tif 000014
【図１３】
2011038790.tif 000015
【図１４】
2011038790.tif 000016
【図１５】
2011038790.tif 000017